(57)【要約】【課題】構造が強固で、瞬時に位置を回復することができる打撃練習機を提供する。【解決手段】  ベースと、該ベースの内部に形成された設置空間と、該ベースに設けられた桿体とを含んでなり、桿体は、プラスチックをブロー成型して形成し、該桿体と一体で横向きに延伸した少なくとも１以上の接続柱を具えてなり、該接続柱が表面に一体に射出成型したネジ溝を具えてなり、該ネジ溝がバネを螺設するために供し、該バネの一端が打撃部に接続するために供する。【選択図】  図1
0003143159.tif 000002
【実用新案登録請求の範囲】
【請求項１】
ベースと、該ベースの内部に形成された設置空間と、該ベースに設けられた桿体とを含んでなり、
該桿体は、プラスチックをブロー成型して形成し、該桿体と一体で横向きに延伸した少なくとも１以上の接続柱を具えてなり、該接続柱が表面に一体に射出成型したネジ溝を具えてなり、該ネジ溝にバネを螺設し、該バネの一端が打撃部に接続することを特徴とする打撃練習機。
【請求項２】
前記桿体がプラスチックをブロー成型して一体に成型し、該打撃部が接続桿と、打撃板とを含んでなり、該接続桿は一端がバネに接続するとともに、ネジで固定して設けられ、他端には歯が設けられ、該打撃板がプラスチックをブロー成型して一体に成型した中空のプラスチック体で、その延伸した端縁部に両面歯合部が形成され、該両面歯合部がいずれの面でも接続桿の歯と歯合し、両面歯合部と歯との間には調節用ボルトが設けられ、該調節用ボルトを回転して、接続を緩めて打撃板を上下に移動させたり、角度を調整して固定することを特徴とする請求項１に記載の打撃練習機。
【請求項３】
前記桿体が二段以上に分けられて折り重ねることができるとともに、打撃板の両側にそれぞれ、孔が設けられた軟性パッドが設けられ、該打撃板上に位置決め体が凸設され、該位置決め体が軟性パッドに設けられた孔に穿設し、該打撃板と軟性パッドの表面が一層の保護カバーで被覆されることを特徴とする請求項２に記載の打撃練習機。
【考案の詳細な説明】
【技術分野】
【０００１】
この考案は、打撃練習機に関し、特にこぶしや足などで打撃の練習をする打撃練習機に関する。
【背景技術】
【０００２】
現在、市場で販売されている打撃練習機は、中華民国特許登録番号Ｍ２９３０５９号にみられるように、ベースと、該ベースの中央に設けられた主桿と、該主桿の上端部に設けられた弾性体と、該弾性体に接続して設けられた副桿と、該副桿の上端部に接続して設けられた主打撃体とを含んでなる。
【０００３】
該主桿は、主桿から延伸して設けられた支管が設けられる。該支管は端縁部の接続部の表面に係合歯が設けられる。
【０００４】
該係合歯は、副打撃体の接続部表面の係合歯と互いに歯合するために供するとともに、回転させて緩めたり、緊密に固定する固定部材を貫通して固定する。また、該固定部材は副打撃体と接続部の角度を調節することができる。
【０００５】
副打撃体は、揺れ動く角度を調節できるため、打撃練習の範囲を広げることができる。よって、打撃練習の位置をさまざまな異なる箇所に設定することができるため、練習時に常に新鮮さを感じることができる。
【０００６】
また、ベースには、充填材を設けるための孔が形成され、大量の充填材をベースに充填した場合、ベースを比較的安定して位置決めすることができる。一方、練習機を移動させる場合には、充填材を抽出して重量を軽くすれば、比較的簡単に移動させることができる。
【０００７】
しかしながら、副打撃体と支管との間には、弾性体のような緩衝して位置を回復する部材が設けられていない。
【０００８】
また、従来の練習機は一般に、金属製、或いはプラスチック充填材料を成型して形成しているため、練習者が副打撃体を打撃した時の力量が大きすぎると、副打撃体が湾曲、変形し易く、甚だしくは損壊する。
【考案の開示】
【考案が解決しようとする課題】
【０００９】
この考案は、構造が強固で、瞬時に位置を回復することができる打撃練習機を提供することを課題とする。
【課題を解決するための手段】
【００１０】
そこで、本考案者は従来の技術に見られる欠点に鑑みて鋭意研究を重ねた結果、ベースと、該ベースの内部に形成された設置空間と、該ベースに設けられた桿体とを含んでなり、
該桿体は、プラスチックをブロー成型して形成し、該桿体と一体で横向きに延伸した少なくとも１以上の接続柱を具えてなり、該接続柱が表面に一体に射出成型したネジ溝を具えてなり、該ネジ溝がバネを螺設するために供し、該バネの一端が打撃部に接続するために供する打撃練習機の構造によって課題を解決できる点に着眼し、かかる知見に基づいて本考案を完成させた。
【００１１】
以下、この考案について具体的に説明する。
請求項１に記載の打撃練習機は、ベースと、該ベースの内部に形成された設置空間と、該ベースに設けられた桿体とを含んでなり、
該桿体は、プラスチックをブロー成型して形成し、該桿体と一体で横向きに延伸した少なくとも１以上の接続柱を具えてなり、該接続柱が表面に一体に射出成型したネジ溝を具えてなり、該ネジ溝がバネを螺設するために供し、該バネの一端が打撃部に接続するために供する。
【００１２】
請求項２に記載の打撃練習機は、請求項１における桿体がプラスチックをブロー成型して一体に成型し、該打撃部が接続桿と、打撃板とを含んでなり、該接続桿は一端がバネに接続するとともに、ネジで固定して設けられ、他端には歯が設けられ、該打撃板がプラスチックをブロー成型して一体に成型した中空のプラスチック体で、その延伸した端縁部に両面歯合部が形成され、該両面歯合部がいずれの面でも接続桿の歯と歯合し、両面歯合部と歯との間には調節用ボルトが設けられ、該調節用ボルトを回転して、接続を緩めて打撃板を上下に移動させたり、角度を調整して固定する。
【００１３】
請求項３に記載の打撃練習機は、請求項２における桿体が二段以上に分けられて折り重ねることができるとともに、打撃板の両側にそれぞれ、孔が設けられた軟性パッドが設けられ、該打撃板上に位置決め体が凸設され、該位置決め体が軟性パッドに設けられた孔に穿設し、該打撃板と軟性パッドの表面が一層の保護カバーで被覆される。
【考案の効果】
【００１４】
この考案による打撃練習機は、ブロー成型で一体に成型するため、強度が高いだけでなく、製造が簡単でコストを節減するという効果を有する。
【００１５】
また、この考案による打撃練習機は、バネの回復力で打撃部が力を受けて後方に大きく動くが、すぐに位置を回復するとともに、打撃部が損壊して練習者が傷つくことがなく、打撃部が中空なため、練習時に大きな音が発生し、練習の楽しさを高めるという効果を有する。
【考案を実施するための最良の形態】
【００１６】
この考案は、構造が強固で、瞬時に位置を回復することができる打撃練習機であって、ベースと、該ベースの内部に形成された設置空間と、該ベースに設けられた桿体とを含んでなり、
該桿体は、プラスチックをブロー成型して形成し、該桿体と一体で横向きに延伸した少なくとも１以上の接続柱を具えてなり、該接続柱が表面に一体に射出成型したネジ溝を具えてなり、該ネジ溝がバネを螺設するために供し、該バネの一端が打撃部に接続するために供する打撃練習機の構造と特徴を詳述するために具体的な実施例を挙げ、図示を参照にして以下に説明する。
【実施例】
【００１７】
図１、図２に開示するように、この考案の打撃練習機は、ベース１０と、桿体２０とを含んでなる。
【００１８】
該ベース１０は、内部に設置空間１１を設けてなる。該設置１１は、充填材６０を充填して固定するために供し、ベース１０が外部の力を受けて位置が移動することを防ぐ。
【００１９】
該桿体２０は、上方桿２１と、下方桿２２とからなる二段式の伸縮構造を具えてなる。該上方桿２１と、下方桿２２はいずれも、プラスチックをブロー成型して一体に形成した中空のプラスチック体で、上方、下方桿２１、２２の両者を挿接する部分には複数のネジ７０で固定する。
【００２０】
該下方桿２２は、他端縁部の外周面にもネジ溝が形成されているため、直接位置決め体にネジ接し、該位置決め体をベース１０に固定する。
【００２１】
該上方桿２１は、他端に球体３０を設けてなる。また、上方桿２１は、横方向に延伸した接続柱２１１を具えてなる。該接続柱２１１は、外周面にネジ溝を形成し、上方桿２1と接続柱２１１はブロー成型で一体に成型されているため、接続部材を必要とすることがなく、製造組み立てのコストを削減することができる。
【００２２】
該ネジ溝は、その外側に螺旋状のバネ４０を直接被覆して設けるために供する。該バネ４０は、一端が打撃部５０に接続するために供する。
【００２３】
該打撃部５０は、接続桿５１と、打撃板５２とを含んでなる。該打撃板５２は、プラスチックのブロー成型で一体に成型された中空体で、その延伸した端縁部に両面歯合部５２１を具えてなる。
【００２４】
該接続桿５１は、一端が打撃部５０に接続してバネ４０を接続し、他端の側面に両面歯合部５２１を歯合する歯５１１を具えてなる。該歯５１１は、両面歯合部５２１のうちのどちらかの側面に歯合すればよい。
【００２５】
該歯５１１と両面歯合部５２１との間には調節用ボルト５３が挿設される。抜け落ち防止用のネジ５３１で調節用ボルト５３を固定接続する。
【００２６】
図３に開示するように、調節用ボルト５３を回転して接続を緩め、使用者の好みや需要に応じて調整して打撃板５２を垂直に上下させたり、動かして角度を調整することができる。
【００２７】
バネ４０と、接続柱２１１と、接続桿５１とが接続する箇所にはネジ７０が設けられ、該バネ４０が接続柱２１１、或いは接続桿５１から回転して抜け落ちることを防ぐ。
【００２８】
該打撃板５２は両側に軟性パッド５４が設けられ、表面の適宜な箇所に位置決め体５２２が凸設される。該位置決め体５２２は、軟性パッド５４に設けられた孔５４１に穿設する。また、該打撃板５２と軟性パッド５４の外側は、保護カバー５５で被覆され、軟性パッド５４が打撃板５２にしっかりと接続される。
【００２９】
この考案の打撃練習機は、図４Ａに開示するように、練習者が打撃部５０を打撃すると、打撃部５０が外部からの力を受けて後方に移動する。バネ４０の弾性力により打撃部５０が瞬時に位置を回復する。また、該打撃部５０がプラスチックのブロー成型で一体に成型されているため、比較的大きな力を受けることができ、力が大きすぎて打撃部５０が変形する、或いは損壊して練習者を傷つけるという従来の問題を解決し、使用上の安全性を高めることができる。
【００３０】
また、打撃部５０と接続柱２１１は、上方桿２１に設けられる以外に、図５に開示するように、下方桿２２に設けてもよい。即ち、打撃部５０と接続柱２１１の数量は、練習者の好みや需要に応じて増減することができるとともに、間接的に打撃練習時の難易度を調節し、練習者の打撃範囲や機能も大幅に高めることができる。
【００３１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３２】
【図１】この考案の打撃練習機を示した分解図である。
【図２】この考案の打撃練習機を示した断面図である。
【図３】この考案の打撃練習機の打撃部を上下に動かした状態を示した説明図である。
【図４】この考案の打撃練習機の打撃部が静止した状態を示した説明図である。
【図４Ａ】この考案の打撃練習機の打撃部が外部を上下に動かした状態を示した説明図である。
【図５】この考案の打撃練習機のもう一つの実施形態を示した説明図である。
【符号の説明】
【００３３】
１０     ベース
１１     設置空間
２０     桿体
２１     上方桿
２１１   接続柱
２２     下方桿
３０     球体
４０     バネ
５０     打撃部
５１     接続桿
５１１   歯
５２     打撃板
５２１   両面歯合部
５２２   位置決め体
５３     調節用ボルト
５３１   ネジ
５４     軟性パッド
５４１   孔
５５     保護カバー
６０     充填材
７０     ネジ
【図１】
0003143159.tif 000003
【図２】
0003143159.tif 000004
【図３】
0003143159.tif 000005
【図４】
0003143159.tif 000006
【図４Ａ】
0003143159.tif 000007
【図５】
0003143159.tif 000008